(57)【要約】【課題】宝石を保護するための宝石箱を開示する。【解決手段】宝石箱には、第１端部と第２端部を有する延長部と、内表面と外表面がある。宝石箱は折りたたむことができるので開いた状態と閉じた状態の２つの形をとり、閉じた状態では箱型になる。宝石受容部は延長部の内表面から突き出ているので、延長部と共に可動し、また、宝石を収める容器を形作る。容器は開いた状態では内表面に対して垂直になり、閉じた状態では、約９０度宝石受容部を回転させたとき、内表面と並行になる。【選択図】  図２
2018108371.tif 000002
【特許請求の範囲】
【請求項１】
宝石を保持する宝石箱であって、第１端部と第２端部を有する延長部と、内表面と外表面、および開いた状態と閉じた状態の間で折りたたみが可能であり、閉じた状態では箱になり、前記延長部の内表面から突出して動作し、ひとつの宝石を受容する容器を規定する宝石受容部と、この容器は、開いた状態では通常前記延長部の内表面に対して垂直に位置し、閉じた状態では宝石受容部のおよそ９０度回転後に前記容器は前記延長部の内表面に対して通常並行になる宝石箱。
【請求項２】
延長部から延長した一対の対向する壁であり、この一対の対向壁は互いに一定の間隔を空けて設けられ、宝石受容部に関連して位置され、閉じた状態において前記対向壁間に前記宝石受容部を受容する壁をさらに有する請求項１記載の宝石箱。
【請求項３】
延長部から突出し、対抗するそれぞれの連結壁によって部屋を規定し、この部屋は宝石受容部に隣り合う開放いた端部を有し、この部屋は閉じた状態で前記宝石受容部を受容する請求項２記載の宝石箱。
【請求項４】
延長部は、この延長部の中央長手軸に対して横断する複数の折り目を有する請求項１記載の宝石箱。
【請求項５】
延長部の第２端部の一部は、閉じた状態において、対向する一対の壁の上面に設けられた請求項１記載の宝石箱。
【請求項６】
延長部の第１端部は、第１折り目と第２折り目を有し、第２折り目は第３および第４折り目を有する請求項１記載の宝石箱。
【請求項７】
第１折り目は、一対の対向する壁の第１端部に隣接し、第２折り目は第１折り目から一定距離を離され、第１端部の一部は第２端部の上、あるいは一対の対向する壁の上面に折りたたみ可能である請求項６記載の宝石箱。
【請求項８】
第３折り目は、一対の対向する壁のそれぞれの第２端部に隣接し、第４折り目は第３折り目から一定距離を離され、これによって閉じた状態において第２端部の第１側面部を規定し、一対の対向壁の第２端部の間で開口を閉じる請求項６記載の宝石箱。
【請求項９】
延長部の第１および第２端部は、閉じた状態において開放可能なように対になる請求項１記載の宝石箱。
【請求項１０】
延長部の第１端部は第１締結部を有し、延長部の第２端部は第２締結部を有し、閉じた状態において対になる請求項９記載の宝石箱。
【請求項１１】
延長部の第１あるいは第２端部のいずれかは最外表面を形成し、多角形の形状となる請求項１記載の宝石箱。
【請求項１２】
延長部の第１端部は第１折り目、第２折り目、第３折り目を有し、延長部の第２端部は第４折り目を有する請求項１記載の宝石箱。
【請求項１３】
第１折り目は一対の対向壁の第１端部に隣接し、第２折り目は第１折り目から間隔を空けて設けられ、第３折り目は第２折り目から間隔を空けて設けられ、これらは一対の対向壁の上面の対向する隅面と一直線に位置し、第４折り目が一対の対向壁のそれぞれの第２端部に隣り合う請求項１２記載の宝石箱。
【請求項１４】
宝石受容部は第１折り目と第２折り目の間にある請求項１２記載の宝石箱。
【請求項１５】
宝石受容部は第４折り目に隣接する請求項１２記載の宝石箱。
【発明の詳細な説明】
【技術分野】
【０００１】
この出願は、広く宝石箱に係るもので、特に指輪を陳列し、ポケットサイズに折りたたむことができる複数回折りたたみ容器に関するものである。
【背景技術】
【０００２】
指輪、イアリング、あるいはカフスリングのような小さな宝石製品は、コンパクトに包装することを求められるときには適切な保護が要求される。
【０００３】
宝石製品の通常の包装は、制作に費用のかかる多数の構成部材を伴い、あるいはそうでない場合には店にとって負担である。簡単な、低費用な箱が望ましい。
【０００４】
また、宝石製品は顧客が購入するために目を引くような陳列場所に目立たせることが必要であり、あるいは顧客が陳列場所から製品を知ることができるようにする必要がある。この場合、販売者は通常、製品の陳列場所と離れた包装場所を行き来しなければならない。このようなことは、販売者が宝石製品とともに包装箱を目立たせようとするときには望ましくないことである。ゆえに、陳列機能を同時に供するための包装の必要がある。
【０００５】
宝石はしばしば贈り物として購入される。そして、ダイアモンド指輪の場合には結婚のプロポーズのために購入される。後者では、プロポーズをする者はより小さい包装、好ましくはその者が指輪をポケットに隠して、プロポーズをするときの驚きの目的のためにほんのわずかに指輪を覆うようなものを望んでいることがある。
【発明の概要】
【発明が解決しようとする課題】
【０００６】
したがって、特に宝石を陳列するためのより小さい宝石箱を改良する必要がある。
【課題を解決するための手段】
【０００７】
宝石を保護するための宝石箱が開示された。その宝石箱には、第１端部と第２端部を有する延長部と、内表面と外表面がある。また宝石箱は折りたたむことができるので開いた状態と閉じた状態の二つの形をとり、閉じた状態では箱型になる。宝石受容部は延長部の内表面から突き出ているので、延長部と共に可動し、また、宝石を収める容器を形作る。容器は開いた状態では内側の表面に対して垂直になり、閉じた状態では、約９０度宝石受容部を回転させたとき、内表面と並行になる。
【０００８】
全ての態様において、宝石箱には延長部から延びた対向壁がある。その壁と壁の間は離れており、宝石受容部に対応するよう作られているので、宝石箱を閉じたとき宝石受容部は壁と壁の間に収まる。全ての形態において、宝石箱には延長部の内表面から延びた連結壁を取り付けることができる。連結壁は対向壁と接しており、それによって宝石受容部に接する開口端がある部屋が造り出される。宝石箱を閉じたとき、宝石受容部は部屋の中にある。
【０００９】
全ての形態において、延長部には折り目が複数ある。折り目は延長部の中心の縦軸に交わっている。ある実施形態において、延長部の第２端部にある宝石箱の蓋にあたる部分は対向壁の上表面の上に折りたたまれる。また、別の実施形態では、延長部の第１端部にある蓋の部分が対向壁の上表面の上に折りたたまれる。
【００１０】
ある実施形態では、延長部の第１端部には第１の折り目と第２の折り目があり、第２の端部に第３の折り目と第４の折り目がある。第１の折り目は対向壁の片端のすぐ近くにあり、第２の折り目から離れているので第１端部は第２端部か、対向壁の上表面の上に折りたたまれる。第３の折り目は対向壁のもう片方の端部のすぐ近くにあり、第４の折り目から離れているので、第２端部にある第１の側面部は宝石箱を閉じたとき、対向壁の後者の端部の間にある空間を閉じることができる。
【００１１】
全ての形態において、延長部にある第１と第２の端部の、特に蓋の部分は宝石箱を閉じたとき互いに取り付け可能である。第１端部には第１の締結部があり、第２端部には第２の締結部がある。締結部は宝石箱を閉じたときに互いに留まる位置にある。第１端部も第２端部も、どちらもが多角形になる箱の外側の部分になる。
【００１２】
第２実施形態において、延長部の第１端部には第１、第２、第３の折り目があり、第２端部に第４の折り目がある。ここで、第１の折り目は対向壁の片端に接しており、第２の折り目から離れている。第３の折り目は第２の折り目から離れており、対向壁の上表面上の対向隅面に沿う位置に第３の折り目はある。第４の折り目は対向壁のもう片方の端部と接している。第２の実施形態の一つの変形例に、宝石受容部が第１の折り目と第２の折り目の間に位置するものがあり、他の変形例では宝石受容部は第４の折り目と接している。
【図面の簡単な説明】
【００１３】
以下の図面を参照することによって数多くの形態をより容易に理解することができる。図面中の構成部材は縮尺の必要性はない。強調部分はこのシステムの本質を明確に描いている。
【図１】宝石箱の第１実施形態を示す前方から見た斜視図。
【図２】図１の宝石箱の一部を折りたたんだ斜視図。
【図３】図１の宝石箱の開いた状態の上から見た斜視図。
【図４】４−４線に沿った図１の宝石箱の横断面図。
【図５】開いた状態の宝石箱の第２実施形態を示す平面図。
【図６】開いた状態の宝石箱の第３実施形態を示す平面図。
【図７】図１の宝石箱と似た閉蓋可能な宝石箱の開いた状態の第４実施形態を示す側面図。
【発明を実施するための形態】
【００１４】
以下の詳細は発明品の大まかな仕組みについての説明であり、実施態様は添付されている図に記されている。添付した図において、近い番号は同じか機能的に似ている部分のことを表している。
【００１５】
図１〜３について、１００として特定した宝石箱は、延長部の中心の縦軸Ａを交差する複数の折り目１０６によって開いた状態１０２（図２，３）から箱の形である閉じた状態１０４（図１）の形に変形する。延長部１１０は折りたためる素材で作られているので箱１００の形をとることができる。また、箱１００には、座部１１６によって分かれている第１端部１１２と第２端部１１４があり、ほかに内表面１１８と外表面１２０がある。宝石受容部１２２は、延長部１１０と共に可動できるよう内表面１１８から突き出ており、指輪といった宝石Ｊ（図２）を収められるような形になる容器１２４を形成する。容器１２４は宝石Ｊを厳重に収めるのに必要な形となっている。開いた状態１０２では、容器１２４は内表面１１８に垂直になるよう作られており、また宝石受容部１２２を約９０度延長部１１０にある座部１１６とは反対に着座位置に回転させると、閉じた状態１０４は内表面１１８と平行になる。
【００１６】
宝石Ｊが婚約指輪のような指輪のとき、延長部１１０の長さは約１００ｍｍから３００ｍｍで、幅は約３０ｍｍから８０ｍｍである。試作品では延長部１１０の長さは１４０ｍｍで幅は４０ｍｍである。
【００１７】
延長部１１０には対向壁１２６があり、その対向壁は延長部１１０から、図１〜６に記されているように座部１１６内の延長部２１０からか、もしくは図７に記されているように宝石受容部１２２がある部分から延びている。対向壁１２６の間には縦軸Ａに交わる間隔Ｄがある。図１〜６において、対向壁１２６間の間隔Ｄは宝石受容部１２２にある横の長さＬＴより大きい。そのため延長部１１０を図１の閉じた状態１０４へと変形させた後でも、宝石受容部１２２は対向壁１２６の中に収まる。
【００１８】
対照的に、図７の実施形態では、宝石箱３００にある対向壁３２６の間の距離Ｄは、宝石受容部１２２にある横の長さＬＴよりも大きい。しかし、対向壁３２６は宝石受容部１２２の両端１４０に隣接しており、また、開いた状態から閉じた状態へと折り目３０６ａ〜ｄによって９０度回転させる際に、対向壁３２６は宝石受容部１２２と延長部３１０と共に可動する。ここでは、対向壁３２６は宝石受容部１２２の両端１４０に接しており、宝石受容部１２２の高さＨ２よりも対向壁３２６の高さＨ１の方が高いので、延長部３１０が閉じた状態へと折りたたまれた際にも宝石を包むことができる。
【００１９】
図１〜５の実施形態について、延長部１１０には連結壁１３０が含まれているが、この連結壁は図６と７に記されていないように、必ずしも必要なものではない。連結壁１３０は対向壁１２６と互いの端部１５０で接しているので、部屋１３２という空間を造り出す。部屋１３２には２つの端部１３４と１５２があり、その端の部分で宝石受容部１３２と隣接している。部屋１３２は宝石が容器１２４にあるときの宝石受容部１２２を収められるよう形作られている。そのとき延長部１１０は閉じた状態１０４へと折りたたまれており、図４に見られるような形になっている。
【００２０】
図１〜４の実施形態では、延長部１１０の端部１１２には折り目１０６ａと折り目１０６ｂがあり、もう片方の端部１１４には折り目１０６ｃと折り目１０６ｄがある。折り目１０６ａは対向壁１２６の両端部１５０と隣接しており、折り目１０６ｂは折り目１０６ａと離れている。折り目１０６ｂは、端部１１２にある蓋１１９が端部１１４にある蓋１１７に、また蓋１１９が対向壁１２６にある上表面１２８にくっつけて折りたたむことができるように位置している。折り目１０６ｃは対向壁１２６と隣接しており、折り目１０６ｄは折り目１０６ｃと離れているので、端部１１２にある側面部１１５は閉じた状態１０４において、対向壁１２６の両端の間にある空間部１３４を閉じることができる。
【００２１】
図１に記されているように、閉じた状態１０４では蓋１１７は対向壁１２６の上表面１２８の上にたたまれるようになっており、蓋１１９は蓋１１７の上にたたまれるようになっている。もう一つの実施形態では、蓋１１７と１１９の位置を逆にすることも可能であり、そのとき蓋１１７は蓋１１９の上にたたまれるようになっている。蓋１１７と蓋１１９は締結構造１６０によって取り外しすることが可能である。締結構造１６０は、箱１００における延長部１１０を取り外しするのに適していればどのような形でもよいので、フック式やひも式、スナップ式、磁石式、リボン止め式、バックル式、ボタン式といったどのような構造でも構わない。蓋１１９には締結構造１６２があり、蓋１１７には図７にある締結構造１６４があり、この二つの締結構造は互いに取り外し可能なので、延長部１１０は図１の閉じた状態１０４のまま維持することができる。記されている試作品では、締結構造１６０はスナップ式であるが、上述のようにその構造だけに限られているわけではない。
【００２２】
図１〜７に見られるように、蓋１１７、１１９、２１７、２１９はそのいずれもが、多角形型の形になる箱の一番外側の表面となることができる。形としては、図１で記されているような三角形や、図６で記されているような長方形が見られる。他の実施形態では、外側の表面となっている部分はティルド型、波型、半円型といった曲線状である。それゆえ形は制限されず、会社のロゴの形にすることもできる。
【００２３】
図５〜６について、宝石箱２００と２００’において、宝石受容部１２２と上述の対向壁１２６、１３０はいかなる形状をも取るが、延長部１１０の長さによってそれらの位置は変わる。宝石受容部と対向壁１２６、１３０の位置によって端部２１２、２１４にある折り目の数は以下のように変わる。端部２１２には折り目２０６ａと２０６ｂと２０６ｃがあり、端部２１４には折り目２０６ｄがある。折り目２０６ｃは対向壁１２６の両端１５０と接しており、折り目２０６ｂから離れている。また、折り目２０６ａは折り目２０６ｂと離れており、対向壁１２６上の上表面１２８にある対向隅面Ｐ１、Ｐ２に沿う位置に折り目２０６ａはある。折り目２０６ｄは対向壁１２６の端部１５２に接している。
【００２４】
図５と図６の延長部２１０の違いは折り目２０６ａ〜２０６ｄの位置に関わる宝石受容部１２２の位置の違いである。図５では、宝石受容部２２２は折り目２０６ｄに接しており、また図６では、折り目２０６ａと２０６ｂの間に位置している。両方の実施形態において、対向壁１２６は着座部２１６から延びている。また、図７で記されているように、対向壁１２６は宝石受容部に接しており、延長部２１０内の宝石受容部がある部分と共に可動する。
【符号の説明】
【００２５】
１００    宝石箱
１０６    複数の折り目
１１０    延長部
１１８    内表面
１２０    外表面
１２２    宝石受容部
１２６    対向壁
【図１】
2018108371.tif 000003
【図２】
2018108371.tif 000004
【図３】
2018108371.tif 000005
【図４】
2018108371.tif 000006
【図５】
2018108371.tif 000007
【図６】
2018108371.tif 000008
【図７】
2018108371.tif 000009